(57)【特許請求の範囲】
【請求項１】
像担持体との間に転写ニップを形成し、該転写ニップにおいて前記該像担持体から用紙にトナー像を転写する転写部材と、
前記転写ニップに向かう前記用紙の搬送経路に沿って前記用紙を案内するガイド部材と、
を備えた画像形成装置であって、
前記ガイド部材は、
前記用紙の搬送方向と交差する用紙幅方向に延びるように形成された支持部材と、
弾性を有する薄肉材料で形成されたガイド板と、
前記用紙幅方向に沿って配置されて、前記ガイド板を前記像担持体から離間する方向に変位可能に支持する複数の弾性部材と、
を有し、
前記支持部材は、上面が開口した形状を有し、前記用紙の搬送方向に沿って互いに対向する搬送方向上流側の一方の壁及び該搬送方向下流側の他方の壁と、底壁と、を有し、前記他方の壁は前記一方の壁よりも高さが低く形成され、前記一方の壁には、前記用紙幅方向に沿って所定の間隔を開けて貫通孔が複数個形成されており、
前記ガイド板は、前記搬送方向に沿って前記像担持体の方向に延びる本体部と、該本体部の前記搬送方向の下流側端部から前記像担持体から離れる方向に傾斜する傾斜部と、を有し、前記本体部の前記搬送方向の上流側縁には前記貫通孔に挿入可能な係止部が形成され、前記本体部と前記傾斜部とが交差する稜線部が前記像担持体に最も近接すると共に前記傾斜部が前記像担持体から離れる方向に傾斜する姿勢を保ったまま変位するように前記弾性部材に支持されており、
前記弾性部材は、前記支持部材の前記底壁上において前記用紙幅方向の両端部以外の部分の少なくとも一か所に等間隔で配置されて前記ガイド板を支持することを特徴とする画像形成装置。
【請求項２】
前記支持部材の前記他方の壁は、前記像担持体から離間する方向への前記ガイド板の変位量を規制する変位量規制部材として機能することを特徴とする請求項１に記載の画像形成装置。
【請求項３】
前記変位量規制部材は、特定の小サイズの厚紙の通紙領域における前記ガイド板の最大変位量が、他の通紙領域における前記ガイド板の最大変位量よりも大きくなるように形成されていることを特徴とする請求項２に記載の画像形成装置。
【請求項４】
前記ガイド部材は、前記ガイド板の捲れを規制する捲れ規制部を有することを特徴とする請求項１〜３のいずれか１項に記載の画像形成装置。
【発明の詳細な説明】
【技術分野】
【０００１】
本発明は、像担持体上に形成されたトナー像を用紙に転写する転写装置を備えた画像形成装置に関する。
【背景技術】
【０００２】
複写機やプリンター、複合機等の画像形成装置においては、像担持体上に形成されたトナー像は、転写装置で用紙に転写される。転写装置では、像担持体と転写部材との間に形成された転写ニップにガイドに沿って用紙を案内し、転写部材に転写バイアスを印加することで、トナー像を用紙に転写している。
【０００３】
用紙は、プレ転写によるトナー散り、異常放電による画像不良を抑制するために、転写バイアスが印加される前にできるだけ像担持体に密着するように、ガイドによって案内されている。しかし、ハガキ等の厚さが厚い用紙が、普通紙に合わせて固定されたガイドで案内されると、用紙の厚さやコシの強さによってガイドから用紙にかかる負荷が大きくなり、搬送速度が遅くなって、倍率が変化したり中抜け等の画像不良が発生したりしてしまう。
【０００４】
このような固定ガイドによる画像不良の発生を防止するために、ガイドを変位可能に構成した画像形成装置が開示されている。例えば、特許文献１には、一端が像担持体の方向に弾性的に付勢されるように回動可能に設けられた剛性ガイドを備えた画像形成装置が開示されている。また、特許文献２には、像担持体側の端部が撓むように支持されたガイドを備え、薄紙の場合は端部が撓まずに像担持体に密着し、厚紙の場合は端部が撓むように構成された画像形成装置が開示されている。また、特許文献３には、可撓性のガイドの下面に、ガイドよりも像担持体の方向に突出する緩衝部材を備えた画像形成装置が開示されている。さらに、特許文献４には、像担持体の方向に揺動可能な可撓性のガイドを有し、像担持体と反対側の方向へのガイドの揺動を突出部位によって規制するように構成した画像形成装置が開示されている。
【先行技術文献】
【特許文献】
【０００５】
【特許文献１】特開平０６−１３０８２５号公報
【特許文献２】特開２００５−１２８４８２号公報
【特許文献３】特開２００８−２６８１０号公報
【特許文献４】特開２０１２−２０３２２７号公報
【発明の概要】
【発明が解決しようとする課題】
【０００６】
しかしながら特許文献１に記載されている画像形成装置では、厚さや幅、剛性が異なる用紙に対する付勢力の調整が困難であり、普通紙における像担持体との密着性を高めると、ハガキでは搬送負荷が大きくなり、中抜け等の画像不良を抑制することはできない。このような画像不良を抑制するためには、高価な低摩擦部材を貼付することが必要になり、コストが上昇する。また、特許文献２に記載されている画像形成装置では、用紙の後端がガイドから離れる際の振動によって、横筋や文字ブレ等が発生しやすく、特許文献３に記載されている画像形成装置では、緩衝部材と用紙との摩擦が生じ、用紙の裏面が汚れたり緩衝部材の摩耗が発生したりする虞がある。さらに、特許文献４に記載されている画像形成装置では、用紙の後端がガイドから離れる高さが用紙の剛性によって変わり、用紙の後端で画像不良が発生しやすい。
【０００７】
そこで本発明は上記事情を考慮し、厚さや幅の異なる用紙を、適宜な負荷で転写ニップへ案内できるガイドを備えた画像形成装置を提供することを目的とする。
【課題を解決するための手段】
【０００８】
上記課題を解決するため、本発明の画像形成装置は、像担持体との間に転写ニップを形成し、該転写ニップにおいて前記該像担持体から用紙にトナー像を転写する転写部材と、前記転写ニップに向かう前記用紙の搬送経路に沿って前記用紙を案内するガイド部材と、を備えた画像形成装置であって、前記ガイド部材は、弾性を有する薄肉材料で形成されたガイド板と、前記用紙の搬送方向と交差する用紙幅方向に沿って配置されて、前記ガイド板を前記像担持体から離間する方向に変位可能に支持する複数の弾性部材と、を有することを特徴とする。
【０００９】
このような構成を採用することにより、ガイド板が部分的に小さな荷重で支持されるので、用紙の幅及び厚さに応じてガイド板が部分的に弾性変形するようになる。したがって、厚さの薄い普通紙においては、ガイド板はほとんど変位せず、プレ転写を抑制してトナー散りや異常放電による画像不良を防止できる。一方、ハガキ等の厚紙においては、厚紙の幅に応じてガイド板が像担持体から離れる方向に変位することで、ガイド板から用紙に搬送負荷がかからないので、中抜けや倍率変化等の画像不良を防止できる。
【００１０】
本発明の画像形成装置において、前記弾性部材は、前記幅方向の両端部以外の部分の少なくとも一か所に配置されて、前記ガイド板を支持することを特徴としても良い。
【００１１】
このような構成を採用することにより、弾性部材間の距離が短くなり、ガイド板の荷重が分散して支持され、用紙の幅に細かく合わせてガイド板を変位させることができるので、ハガキ等の幅が狭く厚さの厚い用紙に対しても画像不良を防止できる。
【００１２】
本発明の画像形成装置において、前記ガイド板は、前記搬送方向に沿って前記像担持体の方向に延びる本体部と、該本体部の前記搬送方向の下流側端部から前記像担持体から離れる方向に傾斜する傾斜部と、を有し、前記本体部と前記傾斜部とが交差する稜線部が、前記像担持体に最も近接するように、前記弾性部材に支持されていることを特徴としても良い。
【００１３】
このような構成を採用することにより、用紙後端がガイド板から離れる際に発生する振動を抑制することができ、横筋やトナー散り、文字ブレ等の画像不良を防止することができる。
【００１４】
本発明の画像形成装置において、前記ガイド板は、前記本体部と前記傾斜部が交差する稜線部が前記像担持体に最も近接すると共に前記傾斜部が前記像担持体から離れる方向に傾斜する姿勢を保ったまま変位するように、前記弾性部材に支持されていることを特徴としても良い。
【００１５】
このような構成を採用することにより、ハガキ等の厚紙によってガイド板が像担持体から離間する方向に変位した場合も、用紙後端がガイド板から離れる際に発生する振動を抑制することができ、横筋やトナー散り、文字ブレ等の画像不良を防止することができる。
【００１６】
本発明の画像形成装置において、前記ガイド部材は、前記像担持体から離間する方向への前記ガイド板の変位量を規制する変位量規制部材を有することを特徴としても良い。
【００１７】
このような構成を採用することにより、ガイド板が必要な量を越えて変位し、転写ローラーへ誤って接触するような事態を防止できる。
【００１８】
本発明の画像形成装置において、前記変位量規制部材は、特定の小サイズの厚紙の通紙領域における前記ガイド板の最大変位量が、他の通紙領域における前記ガイド板の最大変位量よりも大きくなるように形成されていることを特徴としても良い。
【００１９】
このような構成を採用することにより、ガイド板から小サイズの厚紙（ハガキ等）にかかる負荷が軽減されるので、小サイズの厚紙を使用した際の倍率の変化や中抜け等の画像不良を防止できる。
【００２０】
本発明の画像形成装置において、前記ガイド部材は、前記ガイド板の捲れを規制する捲れ規制部を有することを特徴としても良い。
【００２１】
このような構成を採用することにより、転写ニップの付近で生じた紙詰まりを容易に処理することができる。
【発明の効果】
【００２２】
本発明によれば、厚さや幅の異なる用紙を、適宜な負荷で転写ニップへ案内できるので、普通紙においては、プレ転写やトナー散り、異常放電による画像不良が抑制され、ハガキ等の厚紙においては、倍率の変化や中抜け等の画像不良を抑制できる。
【図面の簡単な説明】
【００２３】
【図１】本発明の一実施形態に係るプリンターの概略を示す模式図である。
【図２】本発明の一実施形態に係るプリンターにおいて、レジストローラー対と転写ニップ間の構成を示す正面図である。
【図３】図３（Ａ）は本発明の一実施形態に係るプリンターにおいて、ガイド部材を示す正面図であり、図３（Ｂ）は図３（Ａ）のＡ−Ａ断面図である。
【図４】図４（Ａ）及び図４（Ｂ）は、本発明の一実施形態に係るプリンターにおいて、用紙の搬送動作を示す正面図であり、図４（Ａ）は普通紙の搬送動作、図４（Ｂ）はハガキの搬送動作を示す。
【図５】図５（Ａ）及び図５（Ｂ）は、それぞれ図４（Ａ）のＡ−Ａ断面図、図４（Ｂ）のＢ−Ｂ断面図である。
【図６】図６（Ａ）及び図６（Ｂ）は、本発明の一実施形態に係るプリンターにおいて、用紙の後端がガイド板を離れる様子を示す正面図であり、図６（Ａ）は普通紙の場合、図６（Ｂ）はハガキの場合を示す。
【図７】図７（Ａ）及び図７（Ｂ）は、本発明の一実施形態に係るプリンターにおいて、ガイド部の変形例を示す図であり、図７（Ａ）は正面図、図７（Ｂ）は図７（Ａ）のＡ−Ａ断面図である。
【図８】図８（Ａ）及び図８（Ｂ）は、本発明の一実施形態に係るプリンターにおいて、ガイド部の他の例を示す図であり、図７（Ａ）は正面図、図７（Ｂ）は右から見た側面図である。
【発明を実施するための形態】
【００２４】
以下、図面を参照しつつ、本発明の一実施形態に係る画像形成装置について説明する。
【００２５】
まず、図１を用いてプリンター１（画像形成装置）の全体の主な構成について説明する。図１は、本発明の一実施形態に係るプリンターの概略を示す模式図である。以下、図１における紙面手前側を、カラープリンター１の正面側（前側）とし、左右の向きは、プリンター１の正面から見た方向を基準として説明する。
【００２６】
プリンター１は、箱型形状のプリンター本体２を備えている。プリンター本体２の下部には、給紙カセット３が設けられており、給紙カセットの左上には給紙カセットから用紙Ｐを給紙する給紙部４と、レジストローラー対５と、が設けられている。また、プリンター本体２の上部には排紙トレイ６が設けられている。プリンター本体２の内部には、上方にトナーを収容したトナーコンテナ７と、レーザー・スキャニング・ユニット（ＬＳＵ）で構成される露光装置８と、が配置されている。露光装置８の下方には、画像形成部１０が設けられている。
【００２７】
画像形成部１０には、像担持体である感光体ドラム１１が回転可能に設けられている。感光体ドラム１１の周囲には、帯電装置１２と、現像装置１３と、転写ローラー１４と、除電装置１５と、クリーニング装置１６とが、感光体ドラム１１の回転方向に沿って順に配置されている。さらに、画像形成部１０の右方には定着装置１７が設けられており、定着装置１７の上方には、排紙トレイ６に面した用紙排出部１８が設けられている。
【００２８】
また、プリンター本体２の内部には、給紙部４から、レジストローラー対５と、感光体ドラム１１と転写ローラー１４との間に形成される転写ニップ１９と、定着装置１７と、を通って用紙排出部１８へ向かう用紙の搬送経路２０が設けられている。搬送経路２０は、定着装置１７の下流側で反転経路２１に分岐している。反転経路２１は、給紙部４の下流側で搬送経路２０に合流している。
【００２９】
次に、このような構成を備えたプリンター１の画像形成動作を説明する。プリンター１に接続されたコンピューター等から画像データが入力されると、以下のようにして画像形成動作が実行される。
【００３０】
まず、帯電装置１２によって感光体ドラム１１の表面が帯電された後、露光装置８からのレーザー光（図１の点線Ｐ参照）により感光体ドラム１１に対して画像データに対応した露光が行われ、感光体ドラム１１の表面に静電潜像が形成される。この静電潜像は、現像装置１３により対応する色のトナー像に現像される。
【００３１】
一方、給紙部４によって給紙カセット３又は手差しトレイ（図示省略）から取り出された用紙は、レジストローラー対５によって上記した画像形成動作とタイミングを合わせられた後、搬送経路に沿って転写ニップ１９へ搬送される。そして、転写ニップ１９において、トナーの極性と逆の極性の転写バイアスが転写ローラー１４に印加されて、感光体ドラム１１上のトナー像が用紙に転写される。トナー像を転写された用紙は、除電装置１５により感光体ドラム１１から分離され、搬送経路２０を下流側へと搬送されて定着装置１７に進入し、この定着装置１７において用紙にトナー像が定着される。トナー像が定着された用紙は、用紙排出部１８から排紙トレイ６上に排出される。感光体ドラム１１上に残留したトナーはクリーニング装置１６で除去される。
【００３２】
次に、図２及び図３（Ａ）、図３（Ｂ）を参照して、レジストローラー対５と転写ニップ１９との間の構成について説明する。図２はレジストローラー対と転写ニップ間の構成を示す正面図であり、図３（Ａ）はガイド部材を示す正面図、図３（Ｂ）は図３（Ａ）のＡ−Ａ断面図である。
【００３３】
図２に示されるように、レジストローラー対５と転写ニップ１９との間には、搬送経路２０を形成する転写前上ガイド板３１と転写前下ガイド板３２とが上下方向に対向して設けられている。転写前上ガイド板３１は、転写前下ガイド板３２よりも転写ニップ１９の方向に延在しており、やや上に凸に円弧状に湾曲している。転写前下ガイド板３２は、レジストローラー対５から転写ニップ１９へ向かって上方に傾斜している。
【００３４】
転写前上ガイド板３１の搬送方向下流側端部（右端部）の下方において、転写前下ガイド板３２の右端部と転写ローラー１４との間には、用紙の搬送方向と直交する用紙幅方向に延びるように、ガイド部材４０が設けられている。ガイド部材４０は、プリンター１の最大通紙幅（例えばＡ４横サイズ）よりもやや長い長さであり、用紙の搬送方向と直交する用紙幅方向に延びるように設けられた支持部材４１と、用紙の裏面が接触するガイド板４２と、ガイド板４２を支持する複数の弾性部材４３と、を有する。
【００３５】
支持部材４１は、図３（Ａ）に示されるように、上面が開口したチャンネル状の形状であり、対向する左壁４１ａ及び右壁４１ｂ（変位量規制部材）と、底壁４１ｃと、を有する。左壁４１ａの高さは、転写前下ガイド板３２の右端部の高さよりも低く形成されている。左壁４１ａの上端寄りの位置には、用紙幅方向に沿って所定の間隔を開けて、左右方向に貫通し、所定の高さを有する貫通孔４１ｄが複数個（例えば５個）形成されている。右壁４１ｂは、左壁４１ａよりも高さが低く形成されている。
【００３６】
ガイド板４２は、プリンター１の最大幅用紙の通紙領域の幅（例えばＡ４横サイズ）よりもやや長い長さであり、水平に延びる本体部４２ａと、本体部４２ａの右縁からやや下方に傾斜した傾斜部４２ｂと、を有する。本体部４２ａの左縁には、支持部材４１の左壁４１ａに形成された貫通孔４１ｄに対応する位置に、左方向に延びる係止部４２ｃが形成されている。ガイド板４２は、用紙幅方向において部分的に弾性変形可能な薄肉材料で形成されている。このような材料としては、例えば、厚さが０．１ｍｍのＳＵＳ（ステンレス鋼）や、樹脂を使用することができる。
【００３７】
弾性部材４３は、複数個（例えば５個）の圧縮コイルばねで形成されており、図３（Ｂ）に示されるように、支持部材４１の底壁４１ｃ上に、用紙幅方向における両端と、両端間の３か所と、の計５か所に等間隔に配置されている。
【００３８】
弾性部材４３は、ガイド板４２の各係止部４２ｃが、支持部材４１の各貫通孔４１ｄの上部寄りの位置に挿入された状態で、ガイド板４２を支持している。なお、ガイド板４２は、例えば、係止部４２ｃの先端を折り曲げることによって支持部材４１の貫通孔４１ｄに抜け止めされている。ガイド板４２は、本体部４２ａが、支持部材４１の左壁４１ａから支持部材４１の開口の上方を右壁４１ｂよりもやや右側まで水平に延在し、傾斜部４２ｂが、本体部４２ａの右縁から転写ニップ１９に向かって下方に傾斜するように支持されている。本体部４２ａと支持部材４１の右壁４１ｂとの間には、隙間が空いている。また、ガイド板４２は、本体部４２ａが支持部材４１の右壁４１ｂに当接するまで、貫通孔４１ｄ内を下方向に移動かつ揺動可能である。
【００３９】
また、図２に示されるように、ガイド板４２は、本体部４２ａと傾斜部４２ｂとが交差する稜線部４２ｄが感光体ドラム１１に最も接近し、傾斜部４２ｂは右端に向かうに従って感光体ドラム１１から離れる姿勢で支持されている。さらに、ガイド板４２が支持部材４１の右壁部４１ｂに当接するまで変位した状態でも、稜線部４２ｄが感光体ドラム１１に最も接近し、傾斜部４２ｂは右端に向かうにしたがって感光体ドラム１１から離れる姿勢が保たれる。
【００４０】
上記構成を有するガイド部材４０における、レジストローラー対５から転写ニップ１９への用紙の搬送動作について、図４（Ａ）及び図４（Ｂ）、図５（Ａ）及び図５（Ｂ）、図６（Ａ）及び図６（Ｂ）を参照して説明する。図４（Ａ）は普通紙の搬送動作を示す正面図、図４（Ｂ）はハガキの搬送動作を示す正面図、図５（Ａ）は普通紙が搬送される場合のガイド板の状態を示す図４（Ａ）のＡ−Ａ断面図、図５（Ｂ）はハガキが搬送される場合のガイド板の状態を示す図４（Ｂ）のＢ−Ｂ断面図である。図６（Ａ）は普通紙の後端がガイド板を離れる様子を示す正面図、図６（Ｂ）はハガキの後端がガイド板を離れる様子を示す正面図である。
【００４１】
図４（Ａ）に示されるように、Ａ４サイズの普通紙Ｐ１が搬送される場合、普通紙Ｐ１は転写前下ガイド板３２からガイド板４２の上方を通り、ガイド板４２の稜線部４２ｄに当たって、感光体ドラム１１の表面に当たり、そのまま転写ニップ１９へ搬送される。普通紙Ｐ１は軽量であり厚さも薄いので、図５（Ｂ）に示されるように、ガイド板４２はほとんど変位しない。また、用紙Ｐ１の後端がガイド板４２から離れる際は、図６（Ａ）に示されるように、用紙Ｐ１の後端はガイド板４２の傾斜部４２ｂに沿って（二点鎖線参照）感光体ドラム１１から徐々に離れるように案内される。
【００４２】
一方、ハガキＰ２が搬送された場合も、図４（Ｂ）に示されるように、転写前下ガイド板３２からガイド板４２の上方を通り、ガイド板４２の稜線部４２ｄに当たって転写ニップ１９へ搬送されるが、ハガキＰ２は剛性が高く厚さが厚いので、稜線部４２ｄがハガキＰ２で下方に押される。すると、図５（Ｂ）にも示されるように、ハガキＰ２の通紙領域に配置された弾性部材４３Ｃが他の領域の弾性部材４３よりも圧縮されて、ガイド板４２が下方に撓む。この際、ハガキＰ２の厚さによっては、ガイド板４２は支持部材４１の右壁４１ｂに当接するまで下方に撓む。そして、ハガキＰ２の後端がガイド板４２から離れる際、ガイド板４２は弾性部材４３によって上方に付勢されるが、図６（Ｂ）に示されるように、後端はガイド板４２の傾斜部４２ｂに沿って（二点鎖線参照）、感光体ドラム１１から徐々に離れるように案内される。そして、ハガキＰ２の後端がガイド板４２の稜線部４２ｄを通過した後、ガイド板４２は通常位置、あるいはほぼ通常位置に復帰する。
【００４３】
上記説明したように本実施形態に係るプリンター１においては、用紙幅方向に弾性変形可能なガイド板４２の荷重を複数の弾性部材４３によって分散して支持しているので、搬送される用紙の厚さや剛性に応じて、ガイド板４２が幅方向において部分的に感光体ドラム１１から離れる方向に変位する。
【００４４】
つまり、厚さが薄く剛性の低い普通紙の場合は、ガイド板４２はほとんど変位せずに感光体ドラム１１の表面に沿って転写ニップ１９へ搬送されるので、転写前のプレ放電によるトナー散りや転写ハゲ、白点等の画像不良を抑制できる。一方、厚さが厚く剛性が高いハガキ等の特定の小サイズの厚紙の場合は、ガイド板４２の通紙領域が下方に変位し、用紙に過剰な負荷をかけずに転写ニップ１９を通過させることができるので、搬送負荷による倍率の変化や中抜けを防止できる。なお、特定の小サイズの厚紙とは、グリーティングカードや小サイズの封筒等を含み、ハガキに限定されない。
【００４５】
なお、ガイド板４２を弾性変形不能な剛性の材料で形成した場合、特定の小サイズの厚紙でガイド板４２が適正に傾斜するように支持すると、フルサイズの厚紙においては、ガイド板４２の傾斜角度が大きくなり、転写ニップ１９へ適切な状態で搬送できなくなる。
【００４６】
また、本実施形態では、複数個の弾性部材４３でガイド板４２を支持したので、ガイド板４２の荷重がより分散して支持され、用紙の幅に細かく合わせてガイド板４２を変位させることができ、ハガキ等の幅が狭く厚さの厚い用紙に対しても画像不良を防止できる。なお、弾性部材４３を、ガイド板４２の両端以外の部分の少なくとも一か所に配置することにより、ガイド板４２を用紙の幅に合わせて変位させることができる。
【００４７】
さらに、本実施形態では、用紙の後端がガイド板４２から離れる際に、後端は、ガイド板４２の稜線部４２ｄから傾斜部４２に沿って、感光体ドラム１１から離れる方向に案内される。したがって、用紙がガイド板４２から離れる際に発生する振動を抑制することができ、横筋やトナー散り、文字ブレ等の発生を防止できる。
【００４８】
さらに、本実施形態では、ガイド板４２の下方への変位は、支持部材４１の右壁４１ｂによって規制されるので、ガイド板４２が必要な量を越えて変位し、転写ローラー１４へ誤って接触するような事態を防止できる。さらに、ハガキ等の厚紙が通紙される際に、ガイド板４２が逃げ過ぎて（必要な量を越えて変位し過ぎて）トナー散りが発生するような事態を抑制できるので、厚紙における転写性を確保できる。
【００４９】
また、本実施形態においては、図７に示されるように、支持部材４１の右壁４１ｂにおいて、ハガキ等の特定の小サイズの厚紙の通紙領域Ｗ１（以降、便宜上ハガキ通紙領域Ｗ１とする）に対応する位置に、上端から所定の深さを有する切り欠き部４１ｅを形成しても良い。このような切り欠き部４１ｅを形成することにより、ハガキ通紙領域Ｗ１ではガイド板４２の変位量が大きくなる。
【００５０】
ハガキ等の、長さが短く幅が狭い厚手の用紙のように、転写ローラー１４のみの搬送力で用紙を搬送する区間がある場合に、この区間においてガイド部材から用紙にかかる負荷によって搬送速度が低下しやすい。このため、ハガキの通紙領域Ｗ１でガイド板４２の変位可能な量を大きくすることにより、ガイド板４２から用紙にかかる負荷が低減されるので、搬送速度の低下を防ぎ、倍率変化や中抜け等の画像不良を防止できる。
【００５１】
なお、支持部材４１において、ハガキ通紙領域Ｗ１に対応する位置には右壁４１ｂを設けないようにしてもよい。この場合も、ハガキの通紙領域Ｗ１でガイド板４２の変位可能な量を大きくして、倍率変化や中抜け等の画像不良を防止できる。
【００５２】
次に、図８を参照して、本発明の他の例に係るガイド部について説明する。図８（Ａ）はガイド部の正面図、図８（Ｂ）がガイド部を右から見た図である。ガイド部４０は、支持部材４１と、ガイド板４２と、ガイド板４２を支持する複数の弾性部材４３と、を有する。
【００５３】
支持部材４１には、右壁４１ｂの右側面に、右方向にほぼ水平に突出する板片状の係止部４１ｆが、用紙幅方向に延びるように形成されている。なお、係止部４１ｆは用紙幅方向に沿って部分的に形成されていてもよい。
【００５４】
ガイド板４２は、水平に延びる本体部４２ａと、本体部４２ａの右縁からやや下方に傾斜した傾斜部４２ｂと、傾斜部４２ｂの右縁から左下方向に傾斜した係止片４２ｅと、を有する。係止片４２ｅは、図８（Ｂ）に示されるように、傾斜部４２ｂの右縁に沿って、中央寄りの３箇所に形成されている。ガイド板４２は、各係止片４２ｅの先端が、支持部材４１の係止部４１ｆの下方に位置するように、弾性部材４３支持されている。
【００５５】
このガイド部４０においては、ガイド板４２が上方に捲れ上がろうとすると、係止片４２ｅが支持部材４１の係止部４１ｆに係止されて、ガイド板４２の捲れ上がりを防止する。したがって、例えば、転写ニップ１９の付近で生じた紙詰まりを処理する際に、ガイド板４２が用紙に引っ掛かって捲れ上がることを防止でき、紙詰まりを容易に処理することができる。
【００５６】
さらに、本発明の実施形態では、プリンター１に本発明の構成を適用した場合について説明したが、他の異なる実施形態では、複写機、ファクシミリ、複合機等のプリンター１以外の画像形成装置に本発明の構成を適用しても良い。
【００５７】
さらに、上記した本発明の実施形態の説明は、本発明に係る画像形成装置における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００５８】
１  プリンター（画像形成装置）
１１  感光体ドラム（像担持体）
１４  転写ローラー（転写部材）
１９  転写ニップ
４０  ガイド部材
４１ｂ  右壁（変位量規制部材）
４１ｆ  係止部（捲れ規制部）
４２  ガイド板
４２ａ  本体部
４２ｂ  傾斜部
４２ｄ  稜線部
４２ｅ  係止片（捲れ規制部）
４３  弾性部材
【図１】
0006287736.tif 000002
【図２】
0006287736.tif 000003
【図３】
0006287736.tif 000004
【図４】
0006287736.tif 000005
【図５】
0006287736.tif 000006
【図６】
0006287736.tif 000007
【図７】
0006287736.tif 000008
【図８】
0006287736.tif 000009